(57)【特許請求の範囲】
【請求項１】
事前実験として、貫通穴を有する受け治具に投入した生コンクリートを、前記貫通穴を通過させて前記受け治具から流下させつつ、前記受け治具に作用する荷重を測定し、かつ、この生コンクリートの充てん性を示す指標を測定して、前記荷重と前記指標との関係を予め把握しておき、対象となる生コンクリートを前記受け治具に投入して前記貫通穴を通過させて前記受け治具から流下させつつ、前記受け治具に作用する荷重を測定し、この測定した荷重と、前記事前実験により把握している前記荷重と前記指標との関係とに基づいて、対象となる生コンクリートの充てん性を把握するコンクリートの充てん性把握方法であって、
含有成分の配合が異なる複数種類の生コンクリートについて前記事前実験により、前記荷重と前記指標との関係を予め把握しておき、
前記対象となる生コンクリートの充てん性を把握する際には、前記複数種類の生コンクリートの中から前記対象となる生コンクリートと最も含有成分の配合が近似している生コンクリートを特定して、この特定した生コンクリートについての予め把握している前記荷重と前記指標との関係を用いることを特徴とするコンクリートの充てん性把握方法。
【請求項２】
前記指標として、ＪＩＳ  Ａ  １１５０に規定されているスランプフローを用いる請求項１に記載のコンクリートの充てん性把握方法。
【請求項３】
前記指標として、土木学会規準コンクリート標準示方書に規定されている高流動コンクリートの充てん装置を用いた間げき通過試験方法（案）における充てん高さを用いる請求項１または２に記載のコンクリートの充てん性把握方法。
【請求項４】
事前実験として、貫通穴を有する受け治具に投入した生コンクリートを、前記貫通穴を通過させて前記受け治具から流下させつつ、前記受け治具に作用する荷重を測定し、かつ、この生コンクリートの充てん性を示す指標を測定して、前記荷重と前記指標との関係を予め把握しておき、対象となる生コンクリートを前記受け治具に投入して前記貫通穴を通過させて前記受け治具から流下させつつ、前記受け治具に作用する荷重を測定し、この測定した荷重と、前記事前実験により把握している前記荷重と前記指標との関係とに基づいて、対象となる生コンクリートの充てん性を把握するコンクリートの充てん性把握方法であって、
前記指標として、土木学会規準コンクリート標準示方書に規定されている高流動コンクリートの充てん装置を用いた間げき通過試験方法（案）における充てん高さを用いることを特徴とするコンクリートの充てん性把握方法。
【請求項５】
前記貫通穴の大きさを９００ｍｍ2以上３６００ｍｍ2以下にした請求項１〜４のいずれかに記載のコンクリートの充てん性把握方法。
【請求項６】
鉄筋を格子状に組んで形成された多数の前記貫通穴を有する前記受け治具を使用する請求項１〜５のいずれかに記載のコンクリートの充てん性把握方法。
【発明の詳細な説明】
【技術分野】
【０００１】
本発明は、コンクリートの充てん性把握方法に関し、さらに詳しくは、多量の生コンクリートであっても、その充てん性を簡便かつ迅速に把握できるコンクリートの充てん性把握方法に関するものである。
【背景技術】
【０００２】
コンクリート構造物の建設現場等では、受け入れた生コンクリートをサンプリングしてスランプ試験を行い、この試験データ（スランプフローやスランプ）に基づいて、その生コンクリートの充てん性のうち流動性のみを把握している。例えば、建設現場等で生コンクリートの流動性を評価する方法が提案されている（特許文献１参照）。
【０００３】
このような従来方法では、打設する生コンクリートの全量ではなく、サンプリングした生コンクリートについてのみ流動性を把握するので、打設する生コンクリートの全体的な流動性を把握することは難しい。また、わざわざスランプ試験を実施しなければならず、その試験にはある程度の時間を要するため、生コンクリートの打設時にリアルタイムで流動性を把握することはできない。
【先行技術文献】
【特許文献】
【０００４】
【特許文献１】特開２００８−１９７０１３号公報
【発明の概要】
【発明が解決しようとする課題】
【０００５】
本発明の目的は、多量の生コンクリートであっても、その充てん性を簡便かつ迅速に把握できるコンクリートの充てん性把握方法を提供することにある。
【課題を解決するための手段】
【０００６】
上記目的を達成するため本発明のコンクリートの充てん性把握方法は、事前実験として、貫通穴を有する受け治具に投入した生コンクリートを、前記貫通穴を通過させて前記受け治具から流下させつつ、前記受け治具に作用する荷重を測定し、かつ、この生コンクリートの充てん性を示す指標を測定して、前記荷重と前記指標との関係を予め把握しておき、対象となる生コンクリートを前記受け治具に投入して前記貫通穴を通過させて前記受け治具から流下させつつ、前記受け治具に作用する荷重を測定し、この測定した荷重と、前記事前実験により把握している前記荷重と前記指標との関係とに基づいて、対象となる生コンクリートの充てん性を把握するコンクリートの充てん性把握方法であって、含有成分の配合が異なる複数種類の生コンクリートについて前記事前実験により、前記荷重と前記指標との関係を予め把握しておき、前記対象となる生コンクリートの充てん性を把握する際には、前記複数種類の生コンクリートの中から前記対象となる生コンクリートと最も含有成分の配合が近似している生コンクリートを特定して、この特定した生コンクリートについての予め把握している前記荷重と前記指標との関係を用いることを特徴とする。
本発明の別のコンクリートの充てん性把握方法は、事前実験として、貫通穴を有する受け治具に投入した生コンクリートを、前記貫通穴を通過させて前記受け治具から流下させつつ、前記受け治具に作用する荷重を測定し、かつ、この生コンクリートの充てん性を示す指標を測定して、前記荷重と前記指標との関係を予め把握しておき、対象となる生コンクリートを前記受け治具に投入して前記貫通穴を通過させて前記受け治具から流下させつつ、前記受け治具に作用する荷重を測定し、この測定した荷重と、前記事前実験により把握している前記荷重と前記指標との関係とに基づいて、対象となる生コンクリートの充てん性を把握するコンクリートの充てん性把握方法であって、前記指標として、土木学会規準コンクリート標準示方書に規定されている高流動コンクリートの充てん装置を用いた間げき通過試験方法（案）における充てん高さを用いることを特徴とする。
【発明の効果】
【０００７】
本発明によれば、建設現場等において充てん性を把握する対象となる生コンクリートを前記受け治具に投入してその際に前記受け治具に作用する荷重を測定し、この測定した荷重を、事前実験によって予め把握している前記荷重と前記指標との関係に照合することで、対象となる生コンクリートに対する前記指標を把握でき、これに伴い、その充てん性も迅速に把握できる。また、前記受け治具に投入した生コンクリートを、前記貫通穴を通過させて前記受け治具から流下させつつ、前記荷重を測定するので、多量の生コンクリートであっても多大な時間を要することなく充てん性を把握できる。貫通穴を有する受け治具に生コンクリートを投入すればよいので、複雑な作業が要求されず、簡便に実施することができる。
【図面の簡単な説明】
【０００８】
【図１】本発明のコンクリートの充てん性把握方法を実施するために使用する装置を例示する説明図である。
【図２】図１の受け治具を平面視で例示する説明図である。
【図３】受け治具に作用する荷重Ｗと生コンクリートの充てん性（流動性）を示す指標Ｐとの関係を示すデータベースである。
【図４】受け治具に作用する荷重Ｗと生コンクリートの充てん性（鉄筋の間げき通過性）を示す指標Ｐとの関係を示すデータベースである。
【図５】図３に例示した予め把握している荷重Ｗと指標Ｐとの関係に基づいて、生コンクリートの充てん性（流動性）を判断する手順を示す説明図である。
【図６】図４に例示した予め把握している荷重Ｗと指標Ｐとの関係に基づいて、生コンクリートの充てん性（鉄筋の間げきの通過性）を判断する手順を示す説明図である。
【発明を実施するための形態】
【０００９】
以下、本発明のコンクリートの充てん性把握方法を、図に示した実施形態に基づいて説明する。
【００１０】
本発明は、図１、２に例示するコンクリートの充てん性把握装置１（以下、把握装置１という）を用いて、打設する生コンクリートＣｒの充てん性を把握する。この把握装置１は、後述する事前実験および生コンクリートＣｒを打設する現場で使用する。
【００１１】
把握装置１は、生コンクリートＣが投入される受け治具２と、受け治具２に作用する荷重を測定する荷重計３と、荷重計３により測定された荷重のデータが入力される演算部４とを備えている。演算部４には例えば種々のコンピュータを用いることができる。
【００１２】
受け治具２は、筒状の周壁２ａと、周壁２ａの下端に配置された格子状に組まれた鉄筋２ｂとで構成されている。格子状に組まれた鉄筋２ｂによって上下に貫通する貫通穴２ｃが形成されている。鉄筋２ｂを格子状に組むことで、多数の貫通穴２ｃを容易に形成することができる。鉄筋２ｂは入手し易く、また、相当の耐久性を有しているので貫通穴２ｃを長期に渡って確保するには有利である。受け治具２は、貫通穴２ｃを有する仕様であれば、他の構造を採用することもできる。周壁２ａの平面視の形状は四角形に限らず、円形やその他の形状を用いることもできる。周壁２ａは省略することもできる。
【００１３】
この把握装置１では、格子状に組まれた鉄筋２ｂが支持枠５に固定されていて、その鉄筋２ｂに周壁２ａが載置されている。支持枠５は容器６の上に設置されている。
【００１４】
荷重計３は支持枠５を吊り下げた状態で設置されている。荷重計３は、複数にするこことも単数にすることもできる。
【００１５】
本発明では、事前実験を行ってデータベースを作成する。この事前実験では、例えば、投入部７の先端を把握装置１の受け治具２の上方に配置して、生コンクリートＣを投入部７を通じて受け治具２に投入する。生コンクリートＣの単位時間当たりの投入量は所定の一定量に維持し、投入高さは所定の一定高さに設定する。
【００１６】
受け治具２に投入された生コンクリートＣは、貫通穴２ｃを通過して受け治具２から流下して容器６に収容される。生コンクリートＣは貫通穴２ｃを通過するが、鉄筋２ｂに阻止されるため、直ちに全量が貫通穴２ｃを通過するわけではない。そのため、生コンクリートＣを投入し続けると、受け治具２（周壁２ａの内側）には、ある程度の量の生コンクリートＣが定常的に残存する。一般的には、生コンクリートＣの充てん性が高くなる程、早期に貫通穴２ｃを通過するので、受け治具２に定常的に残存する量は少なくなる。
【００１７】
上記のように受け治具２に生コンクリートＣを投入している工程では、荷重計３により受け治具２に作用する荷重Ｗを逐次測定する。その測定した荷重Ｗのデータは演算部４に入力されて記憶（記録）される。詳述すると、生コンクリートＣを投入する前の状態における受け治具２と支持枠５の合計重量Ｗａ（初期重量Ｗａ）を予め測定して、演算部４に記憶（記録）しておく。そして、生コンクリートＣを投入している工程で逐次、荷重計３により荷重Ｗ１を測定する。この荷重Ｗ１から初期重量Ｗａを差し引くことにより、生コンクリートＣを投入することにより受け治具２に作用する荷重Ｗを測定（算出）する。投入する生コンクリートＣが受け治具２に連続的に衝突した状態になるため、測定した荷重Ｗ１（Ｗ）にはある程度のばらつきが生じる。そのため、安定した状態での荷重Ｗ１（Ｗ）を採用するとよい。
【００１８】
また、この生コンクリートＣを別の容器に採取して、その充てん性を示す指標Ｐを測定する。この指標Ｐとしては例えば、ＪＩＳ  Ａ  １１５０に規定されているコンクリートのスランプフロー試験方法によって得られるスランプフローを用いる。或いは、ＪＩＳ  Ａ  １１０１に規定されているコンクリートのスランプ試験方法によって得られるスランプを用いることもできる。高流動性の生コンクリートＣの場合は、指標Ｐとしてスランプフローを用いる。
【００１９】
別の指標Ｐとして、土木学会規準コンクリート標準示方書（２００２年制定  コンクリート標準示方書[規準編]土木学会規準  第１５７ページ〜１５９ページ）に規定されている高流動コンクリートの充てん装置を用いた間げき通過試験方法（案）（ＪＳＣＥ−Ｆ  ５１１−１９９９）によって得られる充てん高さを用いることもできる。
【００２０】
測定した指標Ｐのデータは演算部４に入力する。そして、その指標Ｐのデータと、その指標Ｐを測定した生コンクリートＣが受け治具２に投入された時に測定された荷重Ｗのデータとを対応させて記憶（記録）する。水分などの含有成分の配合が異なる複数種類の生コンクリートＣについて、上記のように指標Ｐのデータと荷重Ｗのデータとを対応させてプロットすることにより、図３、図４に例示するデータベースを作成する。
【００２１】
図３、図４は、多数の貫通穴２ｃ（１つ貫通穴２ｃの大きさが６０ｍｍ×６０ｍｍ）を有する受け治具２を使用し、生コンクリートＣのスランプフローまたは充てん高さが異なる場合のデータベースを示している。図３では、縦軸が荷重Ｗ、横軸が指標Ｐとして上述したスランプフローを採用している。図４では、縦軸が荷重Ｗ、横軸が指標Ｐとして上述した充てん高さを採用している。
【００２２】
図３では、指標Ｐとなるスランプフローが４５ｃｍ程度以下では、荷重Ｗと指標Ｐとが相関していることが分かる。図４では、指標Ｐとなる充てん高さが３００ｍｍ程度以下では、荷重Ｗと指標Ｐとが相関していることが分かる。このようにして、打設に用いる生コンクリートＣについて、荷重Ｗと指標Ｐとの相関関係を予め把握しておく。
【００２３】
また、含有成分の配合が同じ生コンクリートＣに対して、受け治具２への単位時間当たりの投入量を異ならせた場合についても、上記のように指標Ｐのデータと荷重Ｗのデータとを対応させてデータベースを作成することもできる。或いは、貫通穴２ｃの大きさを異ならせた場合についても、上記のように指標Ｐのデータと荷重Ｗのデータとを対応させてデータベースを作成することもできる。
【００２４】
建設現場等では、図１に例示するように把握装置１を用いて、充てん性を把握する対象となる生コンクリートＣｒを受け治具２に投入する。そして、受け治具２の貫通穴２ｃを通過させて受け治具２から流下させつつ荷重計３により、受け治具２に作用する荷重Ｗｒを測定する。測定した荷重Ｗｒのデータは演算部４に入力されて、事前実験により把握している荷重Ｗのデータと指標Ｐのデータとの関係とに基づいて、対象となる生コンクリートＣｒの充てん性を把握する。流下して容器６に収容された生コンクリートＣｒはポンプ等で打設場所に圧送して使用する。
【００２５】
生コンクリートＣｒの充てん性を把握する具体的な手順は図５、図６に例示するとおりである。データベースとして予め把握されている図５、図６の荷重Ｗと指標Ｐとの相関関係に対して、荷重Ｗｒの値を当てはめて、この荷重Ｗｒの数値に対応する指標Ｐの数値Ｐｒを特定する。指標Ｐの数値の大小によって生コンクリートの充てん性は評価できるので、この特定された指標Ｐｒの値の大きさに基づいて、生コンクリートＣｒの充てん性を把握することができる。
【００２６】
本発明によれば、建設現場等において、充てん性を把握する対象となる生コンクリートＣｒを把握装置１の受け治具２に投入した際に受け治具２に作用する荷重Ｗｒを測定すれば、この測定した荷重Ｗｒを、予め把握している荷重Ｗと指標Ｐとの関係に照合することで、生コンクリートＣｒに対する指標Ｐｒを把握できる。把握した指標Ｐｒに基づいて、生コンクリートＣｒの充てん性を迅速にリアルタイムで把握できる。建設現場等で荷重Ｗｒを測定する際の条件は、データベースのデータを取得した際の条件と同じにする（極力同じにする）。
【００２７】
本発明では、受け治具２に投入した生コンクリートＣｒを、貫通穴２ｃを通過させて受け治具２から流下させつつ、荷重Ｗｒを測定する。これにより、多量の生コンクリートＣｒであっても多大な時間を要することなくリアルタイムで充てん性を把握することが可能になっている。したがって、打設するほぼ全量の生コンクリートＣｒの充てん性を把握することも可能である。また、貫通穴２ｃを有する受け治具２に生コンクリートＣ（Ｃｒ）を投入すればよいので、複雑な作業は不要であり、簡便に実施することができる。
【００２８】
１つの貫通穴２ｃの大きさは、生コンクリートＣ（Ｃｒ）の種類等に応じて適宜設定することができるが、例えば９００ｍｍ2以上３６００ｍｍ2以下程度にすると、概ね、安定して荷重Ｗ（Ｗｒ）を測定し易くなる。貫通穴２ｃの大きさが９００ｍｍ2未満では、生コンクリートＣ（Ｃｒ）が必要以上に通過し難くなり、受け治具２に定常的に残存する量が過大になる可能性がある。貫通穴２ｃの大きさが３６００ｍｍ2超では、生コンクリートＣ（Ｃｒ）が必要以上に通過し易くなり、受け治具２に定常的に残存する量が過小になって、適切なデータベースを作成することができず、生コンクリートＣｒの充てん性を精度よく把握できなくなる。
【００２９】
図３では、指標Ｐとなるスランプフローが約４５ｃｍ以上では、荷重Ｗのデータが一定になっている。図４では、指標Ｐとなる充てん高さが約３００ｍｍ以上では、荷重Ｗのデータが一定になっている。これは、貫通穴２ｃが所定の大きさであれば、生コンクリートＣ（Ｃｒ）の充てん性が過大になると、生コンクリートＣ（Ｃｒ）の種類等の相違によらず、受け治具２に定常的に残存する量が一定になって変化しなくなることを示している。
【００３０】
したがって、生コンクリートＣ（Ｃｒ）の充てん性の高低に応じて、貫通穴２ｃの大きさを適切に設定する必要がある。即ち、充てん性が高い生コンクリートＣ（Ｃｒ）では貫通穴２ｃの大きさを相対的に小さくし、充てん性が低い生コンクリートＣ（Ｃｒ）では貫通穴２ｃの大きさを相対的に大きくして、上述したデータベースを作成するとともに、建設現場等で荷重Ｗｒの測定をする必要がある。
【符号の説明】
【００３１】
１  把握装置
２  受け治具
２ａ  周壁
２ｂ  鉄筋
２ｃ  貫通穴
３  荷重計
４  演算部
５  支持枠
６  容器
７  投入部
Ｃ  生コンクリート
Ｃｒ  充てん性を把握する対象となる生コンクリート
【図１】
0006691405.tif 000002
【図２】
0006691405.tif 000003
【図３】
0006691405.tif 000004
【図４】
0006691405.tif 000005
【図５】
0006691405.tif 000006
【図６】
0006691405.tif 000007